(57)【特許請求の範囲】
【請求項１】
電力制御方法であって、
各第１リソースにおけるセル内の全てのユーザ機器（ＵＥ）の平均基本送信電力を決定し、
各第１リソース毎に、前記平均基本送信電力に基づいて、該第１リソースにおいてスケジューリングされたＵＥグループ、および前記ＵＥグループに対応する第１送信電力割り当て因子を決定する、ことを含むことを特徴とする電力制御方法。
【請求項２】
前記各第１リソースにおけるセル内の全てのＵＥの平均基本送信電力を決定することは、
各第１リソース毎に、該第１リソースにおける各ＵＥの基本送信電力を決定し、
前記セル内の全てのＵＥの前記基本送信電力の和を前記セル内の全てのＵＥの数で割って、該第１リソースにおける前記平均基本送信電力を得る、ことを含むことを特徴とする請求項１に記載の電力制御方法。
【請求項３】
前記該第１リソースにおける各ＵＥの基本送信電力を決定することは、フラクショナル送信電力制御（ＦＴＰＣ）によって、各ＵＥの基本送信電力を決定する、ことを含むことを特徴とする請求項２に記載の電力制御方法。
【請求項４】
前記該第１リソースにおいてスケジューリングされたＵＥグループ、および前記ＵＥグループに対応する第１送信電力割り当て因子を決定することは、
全ての可能なＵＥの組み合わせを候補ＵＥグループ集合として列挙し、
前記平均基本送信電力に基づいて、候補ＵＥグループ集合内の各候補ＵＥグループ毎の総送信電力を計算し、
候補ＵＥグループ集合内の各候補ＵＥグループ毎に、全ての可能な送信電力割り当て因子をそれぞれ列挙して、各候補ＵＥグループに対応する候補送信電力割り当て因子集合とし、
候補ＵＥグループおよび候補送信電力割り当て因子を順列組み合わせして、全ての候補ＵＥグループと候補送信電力割り当て因子との組み合わせを得、
候補ＵＥグループと候補送信電力割り当て因子との組み合わせ毎に、該候補送信電力割り当て因子に従って、該候補ＵＥグループ内の各ＵＥに対して電力を割り当て、割り当てられた電力に基づいて、該候補ＵＥグループのスケジューリングメトリックを計算し、
該第１リソースにおいてスケジューリングメトリックが最大となる候補ＵＥグループ、および該候補ＵＥグループに対応する候補送信電力割り当て因子を検索して、該第１リソースにおいてスケジューリングされたＵＥグループ、および前記ＵＥグループに対応する第１送信電力割り当て因子とする、ことを含むことを特徴とする請求項１に記載の電力制御方法。
【請求項５】
前記平均基本送信電力に基づいて、候補ＵＥグループ集合内の各候補ＵＥグループ毎の総送信電力を計算することは、数式Ｐｔｏｔａｌ＝Ｐａｖｇ×β×Ｎによって、各候補ＵＥグループ毎の総送信電力を計算する、ことを含み、ここで、Ｎは、各候補ＵＥグループに含まれるＵＥの数を表し、βは、補正係数であり、Ｐａｖｇは、前記平均基本送信電力を表す、ことを特徴とする請求項４に記載の電力制御方法。
【請求項６】
前記補正係数の初期値および調整ステップサイズを設定し、
所定期間が経過する毎に、補正係数を調整ステップサイズずつ増加し、
各所定期間毎の前記セルの総スループットを測定し、
全ての所定期間内において前記セルの総スループットが最大となる場合に採用された補正係数を、各候補ＵＥグループ毎の総送信電力を計算するための補正係数として決定する、ことをさらに含むことを特徴とする請求項５に記載の電力制御方法。
【請求項７】
前記割り当てられた電力に基づいて、該候補ＵＥグループのスケジューリングメトリックを計算することは、
割り当てられた電力に基づいて、該候補ＵＥグループ内の各ＵＥの信号対雑音比（ＳＮＲ）を計算し、
該候補ＵＥグループ内の各ＵＥのＳＮＲに基づいて、該候補ＵＥグループのスケジューリングメトリックを計算する、ことを含むことを特徴とする請求項４に記載の電力制御方法。
【請求項８】
複数の連続する第１リソースにおいて同一のＵＥグループがスケジューリングされた場合、
前記複数の連続する第１リソースからなる第２リソースにおいてスケジューリングされた前記同一のＵＥグループ内の各ＵＥに対して、ワイドバンド変調符号化方式（ＭＣＳ）を選択するステップＡ１と、
前記同一のＵＥグループ内の各ＵＥのワイドバンドＭＣＳに基づいて、前記第２リソースにおいてスケジューリングされた前記同一のＵＥグループに対応する第２送信電力割り当て因子を決定するステップＡ２と、をさらに含むことを特徴とする請求項１に記載の電力制御方法。
【請求項９】
ステップＡ２を実行した後に、ステップＡ１に戻って実行し、
２つの隣接の計算結果において、ステップＡ１で得られた該ＵＥの２つのワイドバンドＭＣＳが同じになるまで、および／または、
２つの隣接の計算結果において、ステップＡ２で得られた２つの第２送信電力割り当て因子の差が第１所定閾値より小さくなるまで、および／または、
２つの隣接の計算結果における、ステップＡ１で得られたワイドバンドＭＣＳおよびステップＡ２で得られた第２送信電力割り当て因子に基づいてそれぞれ計算された２つのシステムスループットの差が第２所定閾値より小さくなるまで繰り返す、ことをさらに含むことを特徴とする請求項８に記載の電力制御方法。
【請求項１０】
前記同一のＵＥグループ内の各ＵＥのワイドバンドＭＣＳに基づいて、前記第２リソースにおいてスケジューリングされた前記同一のＵＥグループに対応する第２送信電力割り当て因子を決定することは、
各第１リソースにおける前記セル内の全てのＵＥの平均基本送信電力に基づいて、前記第２リソースにおいてスケジューリングされた前記同一のＵＥグループの総送信電力を計算し、
全ての可能な送信電力割り当て因子を列挙して、前記同一のＵＥグループに対応する候補送信電力割り当て因子とし、
各候補送信電力割り当て因子に従って、前記同一のＵＥグループ内の各ＵＥに対して電力を割り当て、割り当てられた電力と前記同一のＵＥグループ内の各ＵＥのワイドバンドＭＣＳとに基づいて、前記同一のＵＥグループのスケジューリングメトリックを計算し、
前記同一のＵＥグループのスケジューリングメトリックが最大となる候補送信電力割り当て因子を検索して、前記第２送信電力割り当て因子とする、ことを含むことを特徴とする請求項８に記載の電力制御方法。
【請求項１１】
前記第２リソースにおいてスケジューリングされた前記同一のＵＥグループ内の各ＵＥに対して、ワイドバンドＭＣＳを選択することは、
各第１リソース毎に、前記同一のＵＥグループに対応する第１送信電力割り当て因子に基づいて、各ＵＥのＳＮＲを計算し、
各ＵＥ毎に、前記連続する第１リソースにおけるＳＮＲを合成して、該ＵＥの等価ＳＮＲを得、前記等価ＳＮＲに基づいて、前記ワイドバンドＭＣＳを選択する、ことを含むことを特徴とする請求項８または９に記載の電力制御方法。
【請求項１２】
電力制御装置であって、
各第１リソースにおけるセル内の全てのユーザ機器（ＵＥ）の平均基本送信電力を決定する平均基本送信電力決定モジュールと、
各第１リソース毎に、前記平均基本送信電力に基づいて、該第１リソースにおいてスケジューリングされたＵＥグループ、および前記ＵＥグループに対応する第１送信電力割り当て因子を決定するスケジューリングモジュールと、を含むことを特徴とする電力制御装置。
【請求項１３】
補正係数を決定する動的調整モジュールをさらに含み、
前記スケジューリングモジュールは、前記平均基本送信電力および前記補正係数に基づいて、該第１リソースにおいてスケジューリングされたＵＥグループ、および前記ＵＥグループに対応する第１送信電力割り当て因子を決定する、ことを特徴とする請求項１２に記載の電力制御装置。
【請求項１４】
前記動的調整モジュールは、
前記補正係数の初期値および調整ステップサイズを設定する事前設定手段と、
所定期間が経過する毎に、補正係数を調整ステップサイズずつ増加する調整手段と、
各所定期間毎の前記セルの総スループットを測定する測定手段と、
全ての所定期間内において前記セルの総スループットが最大となる場合に採用された補正係数を、各ＵＥグループ毎の総送信電力を計算するための補正係数として決定する決定手段と、を含むことを特徴とする請求項１３に記載の電力制御装置。
【請求項１５】
複数の連続する第１リソースにおいて同一のＵＥグループがスケジューリングされた場合、
前記複数の連続する第１リソースからなる第２リソースにおいてスケジューリングされた前記同一のＵＥグループ内の各ＵＥに対して、ワイドバンド変調符号化方式（ＭＣＳ）を選択するワイドバンドＭＣＳ決定モジュールと、
前記同一のＵＥグループ内の各ＵＥのワイドバンドＭＣＳに基づいて、前記第２リソースにおいてスケジューリングされた前記同一のＵＥグループに対応する第２送信電力割り当て因子を決定するワイドバンドＴＰＣモジュールと、をさらに含むことを特徴とする請求項１２に記載の電力制御装置。
【発明の詳細な説明】
【技術分野】
【０００１】
本発明は、無線通信システムに関し、特に、マルチユーザ伝送システムにおける電力制御方法および装置に関する。
【背景技術】
【０００２】
マルチユーザ伝送システムでは、データ伝送効率を向上させるために、伝送リソースを合理的に割り当てることにより、複数のユーザに対して同時にデータを伝送することができる。例えば、マルチユーザ多入力多出力（ＭＵ−ＭＩＭＯ）システムでは、空間領域を階層化することにより、基地局は、複数のユーザに対して同時にサービスを提供することができる。
【０００３】
特に、スペクトルリソースが不足しつつある今、スペクトル効率を大幅に向上させることが可能な非直交多元接続（ＮＯＭＡ）技術は、ますます人々の注目を浴びている。ＮＯＭＡの基本思想は、送信側において、非直交伝送を採用して自発的に干渉情報を導入し、受信側において、連続干渉除去（ＳＩＣ）技術によって成功的な検出を実現することにある。ＳＩＣ受信機を用いると、受信機の複雑度を高めることになるが、スペクトル効率を良好に向上させることができる。
【発明の概要】
【発明が解決しようとする課題】
【０００４】
上述したように、ＮＯＭＡ技術を使用すると、スペクトル効率を大幅に向上させることができる。ここで、複数のユーザ機器（ＵＥ）は、同一のリソースブロックを共有することができる。従来技術における上り送信電力制御方法によると、総上り送信電力は、スケジューリング対象ＵＥ集合におけるチャネル状態が最も悪いＵＥによって定められる。これにより、隣接セルへのセル間干渉（ＩＣＩ）の変動が大きくなるので、隣接セルによるチャネル状態情報（ＣＳＩ）推定およびＭＣＳ選択の正確性が低下する。そこで、マルチユーザ伝送システムでは、如何に上り送信電力制御を最適化するかが、解決すべき肝心な課題の１つとなっている。
【０００５】
本発明の実施例は、上記に鑑みてなされたものであって、システムスループットを向上させることが可能な電力制御方法および装置を提供している。この電力制御方法および装置は、ＮＯＭＡシステムにおける上り電力制御に適用可能である。
【課題を解決するための手段】
【０００６】
本発明の実施例における電力制御方法は、各第１リソースにおけるセル内の全てのユーザ機器（ＵＥ）の平均基本送信電力を決定し、各第１リソース毎に、前記平均基本送信電力に基づいて、該第１リソースにおいてスケジューリングされたＵＥグループ、および前記ＵＥグループに対応する第１送信電力割り当て因子を決定する、ことを含む。前記各第１リソースにおけるセル内の全てのＵＥの平均基本送信電力を決定することは、各第１リソース毎に、該第１リソースにおける各ＵＥの基本送信電力を決定し、前記セル内の全てのＵＥの前記基本送信電力の和を前記セル内の全てのＵＥの数で割って、該第１リソースにおける前記平均基本送信電力を得る、ことを含む。
【０００７】
前記該第１リソースにおける各ＵＥの基本送信電力を決定することは、フラクショナル送信電力制御（ＦＴＰＣ）によって、各ＵＥの基本送信電力を決定する、ことを含む。
【０００８】
前記該第１リソースにおいてスケジューリングされたＵＥグループ、および前記ＵＥグループに対応する第１送信電力割り当て因子を決定することは、全ての可能なＵＥの組み合わせを候補ＵＥグループ集合として列挙し、前記平均基本送信電力に基づいて、候補ＵＥグループ集合内の各候補ＵＥグループ毎の総送信電力を計算し、候補ＵＥグループ集合内の各候補ＵＥグループ毎に、全ての可能な送信電力割り当て因子をそれぞれ列挙して、各候補ＵＥグループに対応する候補送信電力割り当て因子集合とし、候補ＵＥグループおよび候補送信電力割り当て因子を順列組み合わせして、全ての候補ＵＥグループと候補送信電力割り当て因子との組み合わせを得、候補ＵＥグループと候補送信電力割り当て因子との組み合わせ毎に、該候補送信電力割り当て因子に従って、該候補ＵＥグループ内の各ＵＥに対して電力を割り当て、割り当てられた電力に基づいて、該候補ＵＥグループのスケジューリングメトリックを計算し、該第１リソースにおいてスケジューリングメトリックが最大となる候補ＵＥグループ、および該候補ＵＥグループに対応する候補送信電力割り当て因子を検索して、該第１リソースにおいてスケジューリングされたＵＥグループ、および前記ＵＥグループに対応する第１送信電力割り当て因子とする、ことを含む。
【０００９】
前記平均基本送信電力に基づいて、候補ＵＥグループ集合内の各候補ＵＥグループ毎の総送信電力を計算することは、数式Ｐｔｏｔａｌ＝Ｐａｖｇ×β×Ｎによって、各候補ＵＥグループ毎の総送信電力を計算する、ことを含み、ここで、Ｎは、各候補ＵＥグループに含まれるＵＥの数を表し、βは、補正係数であり、Ｐａｖｇは、前記平均基本送信電力を表す。
【００１０】
前記電力制御方法は、前記補正係数の初期値および調整ステップサイズを設定し、所定期間が経過する毎に、補正係数を調整ステップサイズずつ増加し、各所定期間毎の前記セルの総スループットを測定し、全ての所定期間内において前記セルの総スループットが最大となる場合に採用された補正係数を、各候補ＵＥグループ毎の総送信電力を計算するための補正係数として決定する、ことをさらに含む。
【００１１】
前記割り当てられた電力に基づいて、該候補ＵＥグループのスケジューリングメトリックを計算することは、割り当てられた電力に基づいて、該候補ＵＥグループ内の各ＵＥの信号対雑音比（ＳＮＲ）を計算し、該候補ＵＥグループ内の各ＵＥのＳＮＲに基づいて、該候補ＵＥグループのスケジューリングメトリックを計算する、ことを含む。
【００１２】
複数の連続する第１リソースにおいて同一のＵＥグループがスケジューリングされた場合、前記電力制御方法は、前記複数の連続する第１リソースからなる第２リソースにおいてスケジューリングされた前記同一のＵＥグループ内の各ＵＥに対して、ワイドバンド変調符号化方式（ＭＣＳ）を選択するステップＡ１と、前記同一のＵＥグループ内の各ＵＥのワイドバンドＭＣＳに基づいて、前記第２リソースにおいてスケジューリングされた前記同一のＵＥグループに対応する第２送信電力割り当て因子を決定するステップＡ２と、をさらに含む。
【００１３】
前記電力制御方法は、ステップＡ２を実行した後に、ステップＡ１に戻って実行し、２つの隣接の計算結果において、ステップＡ１で得られた該ＵＥの２つのワイドバンドＭＣＳが同じになるまで、および／または、２つの隣接の計算結果において、ステップＡ２で得られた２つの第２送信電力割り当て因子の差が第１所定閾値より小さくなるまで、および／または、２つの隣接の計算結果における、ステップＡ１で得られたワイドバンドＭＣＳおよびステップＡ２で得られた第２送信電力割り当て因子に基づいてそれぞれ計算された２つのシステムスループットの差が第２所定閾値より小さくなるまで、繰り返す、ことをさらに含む。
【００１４】
前記同一のＵＥグループ内の各ＵＥのワイドバンドＭＣＳに基づいて、前記第２リソースにおいてスケジューリングされた前記同一のＵＥグループに対応する第２送信電力割り当て因子を決定することは、各第１リソースにおける前記セル内の全てのＵＥの平均基本送信電力に基づいて、前記第２リソースにおいてスケジューリングされた前記同一のＵＥグループの総送信電力を計算し、全ての可能な送信電力割り当て因子を列挙して、前記同一のＵＥグループに対応する候補送信電力割り当て因子とし、各候補送信電力割り当て因子に従って、前記同一のＵＥグループ内の各ＵＥに対して電力を割り当て、割り当てられた電力と前記同一のＵＥグループ内の各ＵＥのワイドバンドＭＣＳとに基づいて、前記同一のＵＥグループのスケジューリングメトリックを計算し、前記同一のＵＥグループのスケジューリングメトリックが最大となる候補送信電力割り当て因子を検索して、前記第２送信電力割り当て因子とする、ことを含む。
【００１５】
前記第２リソースにおいてスケジューリングされた前記同一のＵＥグループ内の各ＵＥに対して、ワイドバンドＭＣＳを選択することは、各第１リソース毎に、前記同一のＵＥグループに対応する第１送信電力割り当て因子に基づいて、各ＵＥのＳＮＲを計算し、各ＵＥ毎に、前記連続する第１リソースにおけるＳＮＲを合成して、該ＵＥの等価ＳＮＲを得、前記等価ＳＮＲに基づいて、前記ワイドバンドＭＣＳを選択する、ことを含む。
【００１６】
本発明の実施例における電力制御装置は、各第１リソースにおけるセル内の全てのユーザ機器（ＵＥ）の平均基本送信電力を決定する平均基本送信電力決定モジュールと、各第１リソース毎に、前記平均基本送信電力に基づいて、該第１リソースにおいてスケジューリングされたＵＥグループ、および前記ＵＥグループに対応する第１送信電力割り当て因子を決定するスケジューリングモジュールと、を含む。
【００１７】
前記電力制御装置は、補正係数を決定する動的調整モジュールをさらに含み、前記スケジューリングモジュールは、前記平均基本送信電力および前記補正係数に基づいて、該第１リソースにおいてスケジューリングされたＵＥグループ、および前記ＵＥグループに対応する第１送信電力割り当て因子を決定する。
【００１８】
前記動的調整モジュールは、前記補正係数の初期値および調整ステップサイズを設定する事前設定手段と、所定期間が経過する毎に、補正係数を調整ステップサイズずつ増加する調整手段と、各所定期間毎の前記セルの総スループットを測定する測定手段と、全ての所定期間内において前記セルの総スループットが最大となる場合に採用された補正係数を、各ＵＥグループ毎の総送信電力を計算するための補正係数として決定する決定手段と、を含む。
【００１９】
複数の連続する第１リソースにおいて同一のＵＥグループがスケジューリングされた場合、前記電力制御装置は、前記複数の連続する第１リソースからなる第２リソースにおいてスケジューリングされた前記同一のＵＥグループ内の各ＵＥに対して、ワイドバンド変調符号化方式（ＭＣＳ）を選択するワイドバンドＭＣＳ決定モジュールと、前記同一のＵＥグループ内の各ＵＥのワイドバンドＭＣＳに基づいて、前記第２リソースにおいてスケジューリングされた前記同一のＵＥグループに対応する第２送信電力割り当て因子を決定するワイドバンドＴＰＣモジュールと、をさらに含む。
【発明の効果】
【００２０】
上述した電力制御方法および装置によれば、基地局は、各サブバンドにおいてスケジューリングされたＵＥグループ、および、該ＵＥグループ内の各ＵＥの送信電力を決定することができる。また、本発明では、各サブバンドにおける総送信電力が、セル全体内の全てのＵＥの平均基本送信電力、スケジューリングされたＵＥグループ内のＵＥの数、および補正係数に基づいて決定されたので、本実施例で提供された電力制御方法は、各サブバンドにおける総送信電力の変動を良く制御して、総送信電力の変動が大きすぎる状況を避けることができる。さらに、上述した方法の各サブバンドにおいてスケジューリングされたＵＥグループ、および前記ＵＥグループに対応する第１送信電力割り当て因子を検索する過程では、ＵＥのチャネル条件およびＵＥ間のチャネルの相違を考慮するだけでなく、スケジューリングされたＵＥグループのスケジューリングメトリックを最大化することができる。従って、システム全体から見れば、良いシステムスループット性能を達することができる。
【図面の簡単な説明】
【００２１】
【図１】本発明の一実施例における電力制御方法のフローチャートである。
【図２】図１に示す電力制御方法における各サブバンドにおいてスケジューリングされたＵＥグループ、および前記ＵＥグループに対応する第１送信電力割り当て因子を決定する方法のフローチャートである。
【図３】本発明の一実施例における各サブバンドにおいてスケジューリングされたＵＥグループ、および前記ＵＥグループに対応する第１送信電力割り当て因子を決定する方法の模式図である。
【図４】本発明の他の実施例における電力制御方法のフローチャートである。
【図５】本発明の一実施例における補正係数を動的に調整する方法の模式図である。
【図６】本発明の別の実施例における電力制御方法のフローチャートである。
【図７】本発明の一実施例におけるワイドバンドＭＣＳを選択する方法のフローチャートである。
【図８】本発明の一実施例におけるワイドバンドＴＰＣを実行する方法のフローチャートである。
【図９】本発明の一実施例における電力制御装置の内部の構成の模式図である。
【図１０】本発明の他の実施例における電力制御装置の内部の構成の模式図である。
【図１１】本発明の別の実施例における電力制御装置の内部の構成の模式図である。
【発明を実施するための形態】
【００２２】
本発明の目的、解決手段、およびメリットをさらに明確にするために、以下、図面を参照しながら、実施例を挙げて、本発明をさらに詳しく説明する。
【００２３】
図１は、本発明の一実施例による送信電力制御方法のフローチャートである。この方法は、ＮＯＭＡシステムの上り送信電力制御を実現することができる。図１に示すように、この上り送信電力制御方法は、下記のステップを含む。
【００２４】
ステップ１０１で、基地局は、各第１リソースにおけるセル内の全てのＵＥの平均基本送信電力Ｐａｖｇを決定する。
【００２５】
具体的には、本ステップにおいて、基地局は、複数種類の方法によって、各第１リソースにおける前記セル内の全てのＵＥの平均基本送信電力Ｐａｖｇを決定してもよい。該第１リソースは、１つのサブバンド（ｓｕｂｂａｎｄ）であってもよい。
【００２６】
例えば、基地局は、直接に、各サブバンドにおける前記セル内の各ＵＥの平均基本送信電力Ｐａｖｇを予め設定してもよい。ここで、平均基本送信電力Ｐａｖｇは、基地局で統計された経験値または平均値に基づいて設定してもよい。
【００２７】
また、例えば、第１リソースがサブバンドである場合を例として、本発明の一実施例によれば、下記の方法によって、上記ステップ１０１を実現してもよい。
【００２８】
ステップ１０１１で、基地局は、各サブバンドにおけるセル内の各ＵＥの基本送信電力Ｐｂａｓｉｃを決定する。
【００２９】
本ステップにおいて、基地局は、長期的な進化システム／改善された長期的な進化システム（ＬＴＥ／ＬＴＥ−Ａ）で提案された各種のＴＰＣ法によって、セル内の各ＵＥの基本送信電力を決定してもよい。例えば、ＬＴＥ／ＬＴＥ−Ａリリース８（Ｒｅｌ．８）のプロトコルで規定されたフラクショナル送信電力制御（ＦＴＰＣ）法によって、各サブバンドにおけるセル内の各ＵＥの基本送信電力を決定してもよい。また、例えば、隣接セル干渉を考慮した電力制御方法によって、各サブバンドにおけるセル内の各ＵＥの基本送信電力を決定してもよい。具体的には、各ＵＥによるいずれの隣接セルへの干渉電力もある所定閾値より小さいように、各サブバンドにおけるセル内の各ＵＥの基本送信電力を設定してもよい。
【００３０】
ステップ１０１２で、基地局は、決定された各サブバンドにおけるセル内の各ＵＥの基本送信電力Ｐｂａｓｉｃに基づいて、該サブバンドにおける前記セル内の全てのＵＥの平均基本送信電力Ｐａｖｇを計算し、即ち、前記セル内の全てのＵＥの前記基本送信電力Ｐｂａｓｉｃの和を前記セル内の全てのＵＥの数で割って、該サブバンドにおける前記セル内の全てのＵＥの平均基本送信電力Ｐａｖｇを得る。
【００３１】
ステップ１０２で、基地局は、各第１リソース毎に、前記平均基本送信電力Ｐａｖｇに基づいて、該第１リソースにおいてスケジューリングされたＵＥグループ、および前記ＵＥグループに対応する第１送信電力割り当て因子を決定する。
【００３２】
本発明の実施例では、同一のリソースにおいて同時にスケジューリングされたＵＥの集合をＵＥグループと呼ぶ。
【００３３】
具体的には、本発明の一実施例によれば、第１リソースがサブバンドである場合を例として、本ステップでは、基地局は、各サブバンドにおいて、それぞれ、図２に示すような下記のステップを実行することにより、各サブバンドにおいてスケジューリングされたＵＥグループ、および前記ＵＥグループに対応する第１送信電力割り当て因子を決定する。
【００３４】
ステップ１０２１で、基地局は、全ての可能なＵＥの組み合わせを候補ＵＥグループ集合として列挙する。
【００３５】
ステップ１０２２で、基地局は、前記セル内の全てのＵＥの平均基本送信電力Ｐａｖｇに基づいて、候補ＵＥグループ集合内の各候補ＵＥグループ毎の総送信電力を計算する。
【００３６】
本ステップにおいて、下記の数式１によって、各候補ＵＥグループ毎の総送信電力を計算してもよい。
［数式１］
Ｐｔｏｔａｌ＝Ｐａｖｇ×β×Ｎ
ここで、Ｎは、各候補ＵＥグループに含まれるＵＥの数を表し、βは、主に前記セルのスループットと前記セルによる隣接セルへの干渉とを折衷するために設けられた補正係数である。本発明の実施例において、βは、システムで設定された経験値を使用してもよく、例えば、［０．５，１．２］の間のある値に設定される。
【００３７】
ステップ１０２３で、基地局は、候補ＵＥグループ集合内の各候補ＵＥグループ毎に、全ての可能な送信電力割り当て因子をそれぞれ列挙して、各候補ＵＥグループに対応する候補送信電力割り当て因子集合とする。
【００３８】
本発明の実施例において、候補送信電力割り当て因子集合内の要素数は、その対応する候補ＵＥグループ内のＵＥの数、および、システムで設定された送信電力割り当て因子の最小粒度と関係がある。例えば、ある候補ＵＥグループ内のＵＥの数が２であって、システムで設定された送信電力割り当て因子の最小粒度が０．１である場合、候補送信電力割り当て因子集合は、９つの送信電力割り当て因子を含み、｛（０．１，０．９）、（０．２，０．８）、（０．３，０．７）、（０．４，０．６）、（０．５，０．５）、（０．６，０．４）、（０．７，０．３）、（０．８，０．２）、（０．９，０．１）｝である。ここで、各送信電力割り当て因子それぞれにおける全ての要素の和は、１である。
【００３９】
ステップ１０２４で、基地局は、候補ＵＥグループおよび候補送信電力割り当て因子を順列組み合わせして、全ての候補ＵＥグループと候補送信電力割り当て因子との組み合わせを得る。
【００４０】
例えば、サブバンド１において、候補ＵＥグループが、（ＵＥ１，ＵＥ２）、（ＵＥ１，ＵＥ３）、および（ＵＥ２，ＵＥ３）の３つあるが、各候補ＵＥグループに対応する候補送信電力割り当て因子が、いずれも、（０．１，０．９）、（０．２，０．８）、（０．３，０．７）、（０．４，０．６）、（０．５，０．５）、（０．６，０．４）、（０．７，０．３）、（０．８，０．２）、および（０．９，０．１）の９つある。この場合、順列組み合わせによって、候補ＵＥグループと候補送信電力割り当て因子との組み合わせを合計２７種類得ることができ、即ち、２７種類の電力割り当て方式を得ることができる。
【００４１】
ステップ１０２５で、基地局は、候補ＵＥグループと候補送信電力割り当て因子との組み合わせ毎に、該候補送信電力割り当て因子に従って、該候補ＵＥグループ内の各ＵＥに対して電力を割り当てる。
【００４２】
本ステップにおいて、基地局は、該候補ＵＥグループの総送信電力および該候補送信電力割り当て因子に基づいて、該候補ＵＥグループ内の各ＵＥの送信電力を決定してもよい。例えば、サブバンド１において、該候補ＵＥグループが（ＵＥ１，ＵＥ２）であって、該候補送信電力割り当て因子が（０．３，０．７）である場合、ＵＥ１の送信電力がＰＵＥ１＝０．３×Ｐｔｏｔａｌであり、ＵＥ２の送信電力がＰＵＥ２＝０．７×Ｐｔｏｔａｌである。
【００４３】
ステップ１０２６で、基地局は、割り当てられた電力に基づいて、該候補ＵＥグループのスケジューリングメトリックを計算し、該サブバンドにおいてスケジューリングメトリックが最大となる候補ＵＥグループ、および該候補ＵＥグループに対応する候補送信電力割り当て因子を検索して、該サブバンドにおいてスケジューリングされたＵＥグループ、および前記ＵＥグループに対応する第１送信電力割り当て因子とする。
【００４４】
上記の例から続くと、サブバンド１において、上記の２７種類の電力割り当て方式における候補ＵＥグループのスケジューリングメトリックをそれぞれ計算し、その中から、スケジューリングメトリックが最大となる候補ＵＥグループ、および前記候補ＵＥグループに対応する候補送信電力割り当て因子を検索してもよい。例えば、スケジューリングメトリックの最大値に対応する候補ＵＥグループが（ＵＥ１，ＵＥ３）であって、候補送信電力割り当て因子が（０．３，０．７）である場合、サブバンド１においてスケジューリングされたＵＥグループが（ＵＥ１，ＵＥ３）であって、その対応する第１送信電力割り当て因子が（０．３，０．７）であると決定することができる。具体的に、上記ステップ１０２６は、下記の幾つかのステップによって実現してもよい。
【００４５】
ステップ１０２６１で、基地局は、割り当てられた電力に基づいて、該候補ＵＥグループ内の各ＵＥの信号対雑音比を計算する。
【００４６】
例えば、該候補ＵＥグループにＵＥ１およびＵＥ２の２つのＵＥが含まれ、かつ、該候補送信電力割り当て因子が（Ｐ１，Ｐ２）である場合、基地局で受信されたＵＥ１の信号の信号対雑音比は、下記の数式２に示す通りである。
【００４７】
【数１】
0006635834.tif 000002
【００４８】
基地局は、受信されたＵＥ２の信号に対してＳＩＣ処理を行ってもよい。ＵＥ２の処理後の信号対雑音比は、下記の数式３に示す通りである。
【００４９】
【数２】
0006635834.tif 000003
【００５０】
ここで、ｈ１およびｈ２は、それぞれ、ＵＥ１およびＵＥ２の上りチャネル伝送関数を表し、Ｎは、雑音電力を表す。
【００５１】
ステップ１０２６２で、基地局は、該候補ＵＥグループ内の各ＵＥの信号対雑音比に基づいて、該候補ＵＥグループのスケジューリングメトリックを計算する。
【００５２】
本発明の実施例において、上記スケジューリングメトリックは、プロポーショナルフェアネス（ＰＦ）スケジューリングメトリック、改善されたプロポーショナルフェアネススケジューリングメトリック、または、ユーザスループットの幾何平均などであってもよい。
【００５３】
また、本ステップにおいて、基地局は、まず、該候補ＵＥグループ内の各ＵＥの処理後の信号対雑音比に基づいて、該候補送信電力割り当て因子を使用する場合の該候補ＵＥグループ内の各ＵＥの瞬間スループットをそれぞれ計算してもよい。
【００５４】
例えば、候補ＵＥグループ内のｋ番目のＵＥであるＵＥｋに対して、下記の数式４によって、瞬間スループットを計算してもよい。
【００５５】
【数３】
0006635834.tif 000004
【００５６】
該候補ＵＥグループ内の各ＵＥの瞬間スループットを得る後に、さらに、該候補ＵＥグループ内の各ＵＥのスケジューリングメトリックを計算し、該候補ＵＥグループ内の各ＵＥのスケジューリングメトリックの和を求めて、該候補ＵＥグループのスケジューリングメトリックを得るようにしてもよい。
【００５７】
具体的には、上述した例では、基地局は、下記の数式５によって、１つの候補ＵＥグループのスケジューリングメトリックを計算してもよい。
【００５８】
【数４】
0006635834.tif 000005
【００５９】
【数５】
0006635834.tif 000006
【００６０】
例えば、上記の選択は、下記の数式６で表されてもよい。
【数６】
0006635834.tif 000007
【００６１】
上述したステップを実行した後に、基地局は、各サブバンドにおいてスケジューリングされたＵＥグループ、その対応する第１送信電力割り当て因子、各サブバンドにおける総送信電力に基づいて、スケジューリングされたＵＥグループ内の各ＵＥの送信電力を決定することができる。そして、基地局は、さらに、各サブバンドにおけるＵＥのＭＣＳ（サブバンドＭＣＳと略称してもよい）を決定し、ＵＥの送信電力、サブバンドＭＣＳ、および割り当てられたサブバンドなどを含むスケジューリング情報を、スケジューリングされたＵＥにそれぞれ通知することができる。その後、ＵＥは、スケジューリング情報に従って、割り当てられたサブバンドにおいて、割り当てられた送信電力およびＭＣＳを使用して、上り信号を伝送することが可能になる。ここから分かるように、上述した方法によれば、基地局は、ＵＥスケジューリングおよび電力割り当てを同時に実現することができ、各サブバンドにおいてスケジューリングされたＵＥグループ、および該ＵＥグループ内の各ＵＥの送信電力を決定することができる。つまり、上述した方法によれば、各サブバンドにおける総送信電力が決定されるだけでなく、各サブバンドにおいて、如何にＵＥグループのＵＥ間で電力割り当てを行うかも決定される。
【００６２】
一方、従来技術では、まず、電力割り当てを行ってから、電力割り当ての結果に基づいてＵＥスケジューリングを行う。また、従来技術では、各ＵＥの基本送信電力のみに基づいて電力割り当てを行う。そのため、従来技術に比較し、上記方法では、各サブバンドにおいてスケジューリングされたＵＥグループ、および前記ＵＥグループに対応する第１送信電力割り当て因子が同時に検索される。また、上述した方法の各サブバンドにおいてスケジューリングされたＵＥグループ、および前記ＵＥグループに対応する第１送信電力割り当て因子を検索する過程では、ＵＥのチャネル条件およびＵＥ間のチャネルの相違を考慮するだけでなく、スケジューリングされたＵＥグループのスケジューリングメトリックを最大化することができる。従って、システム全体から見れば、良いシステムスループット性能を達することができる。
【００６３】
また、上述した方法から分かるように、本実施例では、各サブバンドにおける総送信電力Ｐｔｏｔａｌが、セル全体内の全てのＵＥの平均基本送信電力Ｐａｖｇ、スケジューリングされたＵＥグループ内のＵＥの数、および補正係数に基づいて決定されるので、本実施例で提供された電力制御方法は、各サブバンドにおける総送信電力の変動を良く制御して、総送信電力の変動が大きすぎる状況を避けることができる。例えば、ＵＥグループ内のＵＥの数および補正係数を一定にすると、各サブバンドにおける総送信電力が一定になる。
【００６４】
上述した電力制御方法をさらに最適化するために、本発明の他の実施例も電力制御方法を提供している。上記の数式１において、補正係数βは、経験値を使用することを除いて、スライディングウィンドウメカニズムによって動的に調整してもよい。これにより、各サブバンドにおける総送信電力を動的に調整し、システムのスループットを最適化することができる。
【００６５】
次に、図面を通じて、本実施例の方法を下記の通り具体的に説明する。図４は、本発明の他の実施例における電力制御方法のフローチャートである。図４に示すように、この方法は、主に、下記のステップを含む。
【００６６】
ステップ４０１で、基地局は、補正係数βの初期値および調整ステップサイズΔを設定する。ここで、βは、セルのスループットと前記セルによる隣接セルへの干渉とを折衷するために設けられたパラメータである。
【００６７】
本ステップにおいて、基地局は、補正係数βの最小値βｍｉｎおよび最大値βｍａｘを設定してもよい。図５に示すように、βｍａｘ−βｍｉｎ＝５Δであり、βの初期値は最小値βｍｉｎである。
【００６８】
ステップ４０２で、所定期間（スライディングウィンドウの長さ）が経過する毎に、基地局は、補正係数を調整ステップサイズずつ増加する。例えば、βｎ＋１＝βｎ＋Δにする。ここで、ｎは、直前のスライディングウィンドウの番号である。図５に示すように、合計６つのスライディングウィンドウがあり、各スライディングウィンドウの長さは、５つの伝送時間間隔（ＴＴＩ）である。各スライディングウィンドウに対応して、βの値は、それぞれ、β１＝βｍｉｎ、β２＝βｍｉｎ＋Δ、β３＝βｍｉｎ＋２Δ、β４＝βｍｉｎ＋３Δ、β５＝βｍｉｎ＋４Δ、β６＝βｍａｘである。
【００６９】
ステップ４０３で、基地局は、各所定期間毎の前記セルの総スループットを測定する。
【００７０】
一実施例では、基地局は、実際に受信された上りデータに基づいて、各ＴＴＩ毎の前記セルの総スループットを測定してもよい。具体的に、基地局は、各ＴＴＩにおいて、上りデータを受信すると、信号検出を行い、全てのサブバンドにおいて成功的に検出された総データ量、即ち前記セルの総スループットを計算してもよい。そして、基地局は、１つのスライディングウィンドウ内の全てのＴＴＩにおける前記総スループットの平均値を取って、該スライディングウィンドウ内の前記セルの総スループットを得るようにしてもよい。ここで、総スループットは、ユーザスループットの幾何平均であってもよい。
【００７１】
ステップ４０４で、基地局は、全ての所定期間内において前記セルの総スループットが最大となる場合に採用された補正係数を、各候補ＵＥグループ毎の総送信電力を計算するための補正係数βとして決定する。
【００７２】
図５に示すように、スライディングウィンドウ４において、前記セルの総スループットが最大となり、この場合に採用された補正係数は、β４＝βｍｉｎ＋３Δである。そのため、β４が、数式１によって各候補ＵＥグループの総送信電力を計算するための補正係数βとして決定される。
【００７３】
本発明の一実施例において、上述した方法は、システムで統一的にトリガーしてもよい。即ち、システム内の全ての基地局は、上述した方法を同時に実行する。本発明の他の実施例において、時間によってトリガーしてもよい。即ち、一定の時間毎に、システム内の全ての基地局は、上述した方法を同時に実行する。
【００７４】
該方法がシステム内の全ての基地局によって同時にそれぞれ実行され、前記セルの総送信電力が増加すると、隣接セルの総送信電力も増加するので、各基地局でそれぞれ決定された補正係数は、前記セルのスループットと前記セルによる隣接セルへの干渉とを同時に両立させることができる。つまり、上述した各サブバンドにおける総送信電力に影響する補正係数βを動的に調整する方法によれば、システムの所定のβ値を基にして、各サブバンドにおける総送信電力値をさらに最適化し、前記セルのスループットと隣接セルへの干渉との間にバランスを取り、システムの総スループットをさらに最適化することができる。
【００７５】
上記実施例において、基地局は、各サブバンドにおいてスケジューリングされたＵＥグループ、および前記ＵＥグループに対応する第１送信電力割り当て因子を決定することにより、サブバンドＴＰＣが実現され、さらに、サブバンドＭＣＳを得ることができる。基地局は、スケジューリングされたＵＥに、割り当てられたリソースにおいて使用するＭＣＳおよび送信電力割り当て因子を通知する必要があるので、各サブバンドにおけるサブバンドＭＣＳおよび送信電力割り当て因子がフィードバックされる場合、シグナリングオーバーヘッドが高くなる。シグナリングオーバーヘッドを軽減させるために、複数の連続するサブバンドにおいて同一のＵＥグループがスケジューリングされた場合、ワイドバンドＭＣＳを使用し、即ち、１つのみのワイドバンドＭＣＳを使用して、全ての連続するサブバンドにおいて信号を送信してもよい。但し、このワイドバンドＭＣＳがサブバンドＴＰＣに整合しないので、ワイドバンドＴＰＣが必要となる。
【００７６】
次に、図面を通じて、本実施例の方法を下記の通り具体的に説明する。図６は、本実施例における電力制御方法のフローチャートである。図６に示すように、この方法は、主に、下記のステップを含む。
【００７７】
ステップ１０１で、基地局は、各第１リソースにおけるセル内の全てのＵＥの平均基本送信電力Ｐａｖｇを決定する。
【００７８】
ステップ１０２で、基地局は、各第１リソース毎に、前記平均基本送信電力Ｐａｖｇに基づいて、該第１リソースにおいてスケジューリングされたＵＥグループ、および前記ＵＥグループに対応する第１送信電力割り当て因子を決定する。
【００７９】
上記のステップ１０１および１０２の具体的な実現方法は、前述した実施例を参照すればよいが、ここで重複な説明を省略する。
【００８０】
ステップ１０３で、複数の連続する第１リソースにおいて同一のＵＥグループがスケジューリングされた場合、基地局は、第２リソースにおいてスケジューリングされた前記同一のＵＥグループ内の各ＵＥに対して、ワイドバンドＭＣＳを選択する。
【００８１】
前記第２リソースは、前記複数の連続する第１リソースからなる。例えば、図３に示すように、ＵＥグループ（ＵＥ１，ＵＥ２）は、インデックスが３、４、５である３つの連続するサブバンドにおいてスケジューリングされた。そのため、第２リソースは、インデックスが３、４、５であるこれらの３つの連続するサブバンドからなる。
【００８２】
図７は、本発明の一実施例におけるワイドバンドＭＣＳを選択する方法のフローチャートである。図７に示すように、この方法は、第１リソースがサブバンドである場合、下記のステップを含む。
【００８３】
ステップ７０１で、基地局は、各サブバンド毎に、前記同一のＵＥグループに対応する第１送信電力割り当て因子に基づいて、各ＵＥのＳＮＲを計算する。上記計算は、上記の数式２および数式３を参照すればよい。
【００８４】
ステップ７０２で、基地局は、各ＵＥ毎に、連続するサブバンドにおけるＳＮＲを合成して、該ＵＥの等価ＳＮＲを得る。
【００８５】
上記合成は、下記の数式７に示す方式を採用してもよい。
【数７】
0006635834.tif 000008
【００８６】
または、等価ＳＮＲは、連続するサブバンドにおけるＳＮＲの線形平均によって得られてもよい。
【００８７】
ステップ７０３で、基地局は、各ＵＥ毎に、該ＵＥの前記等価ＳＮＲに基づいて、前記ワイドバンドＭＣＳを選択する。
【００８８】
ステップ１０４で、基地局は、前記同一のＵＥグループ内の各ＵＥのワイドバンドＭＣＳに基づいて、前記第２リソースにおいてスケジューリングされた前記同一のＵＥグループに対応する第２送信電力割り当て因子を決定する。
【００８９】
次に、ワイドバンドＴＰＣの具体的な方法を詳しく説明する。
【００９０】
上記ステップ１０２において、ＵＥの第１送信電力割り当て因子は、サブバンドにおいて最高スペクトル効率を達することが可能なＭＣＳを採用することを仮定する場合に、スループットおよびスケジューリングメトリックを計算することによって得られたものである。一方、ステップ１０３において得られたＭＣＳは、ワイドバンドＭＣＳであり、割り当てられた全てのサブバンドの状況によって得られ、割り当てられた全てのサブバンドに応用され、ステップ１０２におけるサブバンドＭＣＳと異なる。ＵＥの性能を最適化するために、送信電力割り当て因子を、ワイドバンドＭＣＳの場合のサブバンドスループットおよびスケジューリングメトリックを最大化することが可能になるように最適化する必要がある。具体的に、本ステップでは、ＵＥのＭＣＳがステップ１０３において得られたワイドバンドＭＣＳであると仮定し、全ての候補送信電力割り当て因子を再び完全列挙し、その中から、ＵＥグループのスケジューリングメトリックを最大化することが可能な送信電力割り当て因子を選択して、ワイドバンドに対応する第２送信電力割り当て因子とする。
【００９１】
図８は、本発明の一実施例におけるワイドバンドＴＰＣを実行する方法のフローチャートである。図８に示すように、上記ワイドバンドＴＰＣは、下記のステップを含んでもよい。
【００９２】
ステップ８０１で、基地局は、各第１リソースにおける前記セル内の全てのＵＥの平均基本送信電力に基づいて、前記第２リソースにおいてスケジューリングされた前記同一のＵＥグループの総送信電力を計算する。
【００９３】
具体的には、第１リソースはサブバンドであり、第２リソースは、同一のＵＥグループがスケジューリングされた全ての連続するサブバンドからなると仮定する。ステップ１０２２に説明されたように、基地局は、前記全ての連続するサブバンド毎に、該サブバンドにおける前記セル内の全てのＵＥの平均基本送信電力に基づいて、該サブバンドにおいてスケジューリングされたＵＥグループの総送信電力を計算してもよい。そして、前記全ての連続するサブバンドにおける総送信電力を加算することにより、前記第２リソースにおける前記同一のＵＥグループの総送信電力が得られる。
【００９４】
ステップ８０２で、基地局は、全ての可能な送信電力割り当て因子を列挙して、前記同一のＵＥグループに対応する候補送信電力割り当て因子とする。
【００９５】
例えば、ワイドバンドにおいてスケジューリングされた前記同一のＵＥグループがＵＥ１およびＵＥ２であって、システムで設定された送信電力割り当て因子の最小粒度が０．１である場合、候補送信電力割り当て因子集合は、（０．１，０．９）、（０．２，０．８）、（０．３，０．７）、（０．４，０．６）、（０．５，０．５）、（０．６，０．４）、（０．７，０．３）、（０．８，０．２）、および（０．９，０．１）を含む。
【００９６】
ステップ８０３で、基地局は、各候補送信電力割り当て因子に従って、前記同一のＵＥグループ内の各ＵＥに対して電力を割り当てる。上記ステップ８０３の具体的な実現方法は、ステップ１０２５を参照すればよい。
【００９７】
ステップ８０４で、基地局は、割り当てられた電力と前記同一のＵＥグループ内の各ＵＥのワイドバンドＭＣＳとに基づいて、前記同一のＵＥグループのスケジューリングメトリックを計算する。
【００９８】
本ステップでは、スケジューリングメトリックを計算する際に、上記ステップ１０２６における方法を参照すればよいが、説明すべきものとして、本ステップにおいて、ＵＥのＭＣＳは、対応するサブバンドにおいて最高スペクトル効率を達することが可能なＭＣＳではなく、ステップ１０３において得られたワイドバンドＭＣＳである。
【００９９】
例えば、本ステップでは、下記の数式８によって、前記同一のＵＥグループ内のｋ番目のＵＥの瞬間スループットを計算してもよい。
【０１００】
【数８】
0006635834.tif 000009
【０１０１】
前記同一のＵＥグループ内の各ＵＥの瞬間スループットを得た後に、例えば、上記数式５によって、ワイドバンドにおいてスケジューリングされた前記同一のＵＥグループのスケジューリングメトリックを得ることができる。
【０１０２】
ステップ８０５で、基地局は、前記同一のＵＥグループのスケジューリングメトリックが最大となる候補送信電力割り当て因子を検索して、前記第２送信電力割り当て因子とする。
【０１０３】
さらなる最適化を実現するために、基地局は、収束するまで、上記のステップ１０３および１０４を繰り返して実行してもよい。収束するか否かを判断するための条件は、複数あってもよい。例えば、２つの隣接の計算結果において、ステップ１０３で得られた該ＵＥの２つのワイドバンドＭＣＳが同じになるまで、および／または、２つの隣接の計算結果において、ステップ１０４で得られた２つの第２送信電力割り当て因子の差が第１所定閾値より小さくなるまで、および／または、２つの隣接の計算結果における、ステップ１０３で得られたワイドバンドＭＣＳおよびステップ１０４で得られた第２送信電力割り当て因子に基づいてそれぞれ計算された２つのシステムスループットの差が第２所定閾値より小さくなるまで、繰り返す。
【０１０４】
上述したステップを実行した後、基地局は、ワイドバンドにおいてスケジューリングされた前記同一のＵＥグループに対して、ワイドバンドＭＣＳおよび第２送信電力割り当て因子を決定した。そして、基地局は、スケジューリング情報を、スケジューリングされたＵＥにそれぞれ通知することができる。上記スケジューリング情報は、第２送信電力割り当て因子に基づいて決定されたＵＥの許可された送信電力、ワイドバンドＭＣＳ、および割り当てられたワイドバンド（即ち、複数の連続するサブバンド）などを含む。その後、ＵＥは、スケジューリング情報に従って、割り当てられたワイドバンドにおいて、ワイドバンドＴＰＣによって割り当てられた送信電力およびワイドバンドＭＣＳを使用して、信号を伝送することが可能になる。
【０１０５】
上述した方法から分かるように、本実施例のステップ１０３の実行完了後、ワイドバンドＭＣＳは、ＵＥに割り当てられた連続する複数のサブバンドにおいて統一的に選択されたものである。この際、先にステップ１０２において決定された各サブバンドにおける送信電力割り当て因子によって、いずれのサブバンドにおいても最適なスループットを有することが実現できない。従って、本実施例のステップ１０４では、ワイドバンドＴＰＣによって、送信電力割り当て因子をさらに調整して、システムのスループットをさらに最適化する。
【０１０６】
上述した実施例における送信電力制御方法に対応して、本発明の実施例は、上述した方法を実行する装置も提供している。
【０１０７】
図９は、本発明の一実施例による送信電力制御装置の内部の構成の模式図である。図９に示すように、この装置は、主に、下記の部分を含む。
【０１０８】
平均基本送信電力決定モジュール９０１は、各第１リソースにおける前記セル内の全てのＵＥの平均基本送信電力Ｐａｖｇを決定する。
【０１０９】
前述したように、平均基本送信電力決定モジュールは、複数種類の方法によって、前記セル内の全てのＵＥの平均基本送信電力Ｐａｖｇを決定してもよい。例えば、直接に、前記セル内の全てのＵＥの平均基本送信電力Ｐａｖｇを予め設定してもよい。または、上記のステップ１０１１〜１０１２における方法によって、前記セル内の全てのＵＥの平均基本送信電力Ｐａｖｇを決定してもよい。
【０１１０】
スケジューリングモジュール９０２は、各第１リソース毎に、前記平均基本送信電力Ｐａｖｇに基づいて、該第１リソースにおいてスケジューリングされたＵＥグループ、および前記ＵＥグループに対応する第１送信電力割り当て因子を決定する。
【０１１１】
前述したように、本発明の一実施例によれば、上記スケジューリングモジュールは、上記のステップ１０２１〜１０２６における方法によって、各サブバンドにおいてスケジューリングされたＵＥグループ、および前記ＵＥグループに対応する送信電力割り当て因子を決定してもよい。
【０１１２】
前述したように、上述した電力制御方法をさらに最適化するために、本発明の他の実施例も電力制御装置を提供している。この装置の内部の構成は、図１０に示すように、平均基本送信電力決定モジュール９０１およびスケジューリングモジュール９０２に加えて、動的調整モジュール９０３をさらに含む。
【０１１３】
この動的調整モジュール９０３は、補正係数を決定する。
【０１１４】
これに相応して、前記スケジューリングモジュール９０２は、前記平均基本送信電力および前記補正係数に基づいて、該第１リソースにおいてスケジューリングされたＵＥグループ、および前記ＵＥグループに対応する第１送信電力割り当て因子を決定する。
【０１１５】
この動的調整モジュール９０３は、具体的に、補正係数βの初期値および調整ステップサイズΔを設定する事前設定手段９０３１と、所定期間（スライディングウィンドウの長さ）が経過する毎に、補正係数を調整ステップサイズずつ増加し、即ち、β＝β＋Δにする調整手段９０３２と、各所定期間毎の前記セルの総スループットを測定する測定手段９０３３と、全ての所定期間内において前記セルの総スループットが最大となる場合に採用された補正係数を、各ＵＥグループ毎の総送信電力を計算するための補正係数βとして決定する決定手段９０３４と、を含む。
【０１１６】
上述した電力制御方法をさらに最適化するために、本発明の別の実施例も電力制御装置を提供している。この装置の内部の構成は、図１１に示すように、平均基本送信電力決定モジュール９０１およびスケジューリングモジュール９０２に加えて、複数の連続する第１リソースにおいて同一のＵＥグループがスケジューリングされた場合、前記複数の連続する第１リソースからなる第２リソースにおいてスケジューリングされた前記同一のＵＥグループ内の各ＵＥに対して、ワイドバンドＭＣＳを選択するワイドバンドＭＣＳ決定モジュール９０４と、前記同一のＵＥグループ内の各ＵＥのワイドバンドＭＣＳに基づいて、前記第２リソースにおいてスケジューリングされた前記同一のＵＥグループに対応する第２送信電力割り当て因子を決定するワイドバンドＴＰＣモジュール９０５と、をさらに含む。
【０１１７】
前述したように、上記ワイドバンドＴＰＣモジュール９０５は、上記のステップ８０１〜８０５における方法によって、ワイドバンドＴＰＣを実行してもよい。
【０１１８】
上述した電力制御方法及び装置から分かるように、本発明の実施例は、各基地局の、各サブバンドにおいてスケジューリングされたＵＥグループ、および該ＵＥグループ内の各ＵＥの送信電力を決定することができ、ＮＯＭＡシステムにおける送信電力制御の解決手段を提供しているとともに、優れたシステムスループットを得ることができる。
【０１１９】
上記は、好ましい実施例を挙げて、本発明の目的、解決手段、およびメリットをさらに詳しく説明している。理解すべきものとして、上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図１】
0006635834.tif 000010
【図２】
0006635834.tif 000011
【図３】
0006635834.tif 000012
【図４】
0006635834.tif 000013
【図５】
0006635834.tif 000014
【図６】
0006635834.tif 000015
【図７】
0006635834.tif 000016
【図８】
0006635834.tif 000017
【図９】
0006635834.tif 000018
【図１０】
0006635834.tif 000019
【図１１】
0006635834.tif 000020